【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記層間絶縁膜上に設けられた第３の領域と、を有し、
前記第２の基板上に設けられた前記対向電極と前記第３の領域までの距離が３．０μｍ以上４．５μｍ以下であり、前記凸部の高さが前記距離の４．４％以上１５．６％以下であることを特徴とする液晶表示装置。
【請求項２】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記層間絶縁膜上に設けられた第３の領域と、を有し、
前記第２の基板上に設けられた前記対向電極と前記第３の領域までの距離が３．０μｍ以下であり、前記凸部の高さが前記距離の１５．６％以下であることを特徴とする液晶表示装置。
【請求項３】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記層間絶縁膜上に設けられた第３の領域と、を有し、
前記第２の基板上に設けられた前記対向電極と前記第３の領域までの距離が３．０μｍ以下であり、前記凸部の高さが前記距離の６．７％以下であることを特徴とする液晶表示装置。
【請求項４】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記平坦面上に設けられた第３の領域と、を有し、
前記第２の基板上に設けられた前記対向電極と前記第３の領域までの距離が３．０μｍ以上４．５μｍ以下であり、前記凸部の高さが前記距離の４．４％以上１５．６％以下であることを特徴とする液晶表示装置。
【請求項５】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記平坦面上に設けられた第３の領域と、を有し、
前記第２の基板上に設けられた前記対向電極と前記第３の領域までの距離が３．０μｍ以下であり、前記凸部の高さが前記距離の１５．６％以下であることを特徴とする液晶表示装置。
【請求項６】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた凸部と、
前記第１の基板と対向する第２の基板と、
前記第２の基板上に設けられた対向電極と、を有する液晶表示装置であって、
前記画素電極は、前記凸部の上端部に重なって設けられた第１の領域と、前記凸部の側部に設けられた第２の領域と、前記平坦面上に設けられた第３の領域と、を有し、
前記第２の基板上に設けられた前記対向電極と前記第３の領域までの距離が３．０μｍ以下であり、前記凸部の高さが前記距離の６．７％以下であることを特徴とする液晶表示装置。
【請求項７】
請求項１乃至６のいずれか一において、
前記薄膜トランジスタのソース又はドレインの他方と電気的に接続されたソース配線を有し、
前記凸部は前記ソース配線と平行に設けられることを特徴とする液晶表示装置。
【請求項８】
請求項１乃至６のいずれか一において、
前記薄膜トランジスタのゲートと電気的に接続されたゲート配線と、
前記薄膜トランジスタのソース又はドレインの他方と電気的に接続されたソース配線と、を有し、
前記凸部は前記ソース配線及び前記ゲート配線と平行に設けられることを特徴とする液晶表示装置。
【請求項９】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記層間絶縁膜上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以上４．５μｍ以下であり、前記第１の高さを有する凸部及び第２の高さを有する凸部の高さのそれぞれが前記距離の４．４％以上１５．６％以下であることを特徴とする液晶表示装置。
【請求項１０】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記平坦面上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以上４．５μｍ以下であり、前記第１の高さを有する凸部及び前記第２の高さを有する凸部の高さのそれぞれが前記距離の４．４％以上１５．６％以下であることを特徴とする液晶表示装置。
【請求項１１】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記層間絶縁膜上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以下であり、前記第１の高さを有する凸部及び前記第２の高さを有する凸部の高さのそれぞれが前記距離の１５．６％以下であることを特徴とする液晶表示装置。
【請求項１２】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記平坦面上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以下であり、前記第１の高さを有する凸部及び前記第２の高さを有する凸部の高さのそれぞれが前記距離の１５．６％以下であることを特徴とする液晶表示装置。
【請求項１３】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記画素電極下に選択的に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記層間絶縁膜上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以下であり、前記第１の高さを有する凸部及び前記第２の高さを有する凸部の高さのそれぞれが前記距離の６．７％以下であることを特徴とする液晶表示装置。
【請求項１４】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた第１の高さを有する凸部及び第２の高さを有する凸部と、
前記第１の基板と対向する第２の基板と、
前記第２の基板上に設けられた対向電極と、を有する液晶表示装置であって、
前記画素電極は、前記第１の高さを有する凸部及び前記第２の高さを有する凸部の上端部のそれぞれに重なって設けられた第１の領域と、前記第１の高さを有する凸部及び前記第２の高さを有する凸部の側部のそれぞれに設けられた第２の領域と、前記平坦面上に設けられた第３の領域と、を有し、
前記第１の高さを有する凸部が前記第２の高さを有する凸部に対し高く、
前記第２の基板上に設けられた前記対向電極と前記第３の領域までの距離が３．０μｍ以下であり、前記第１の高さを有する凸部及び前記第２の高さを有する凸部の高さのそれぞれが前記距離の６．７％以下であることを特徴とする液晶表示装置。
【請求項１５】
請求項９乃至１４のいずれか一において、
前記薄膜トランジスタのゲートと電気的に接続されたゲート配線と、
前記薄膜トランジスタのソース又はドレインの他方と電気的に接続されたソース配線と、を有し、
前記第１の高さを有する凸部は前記ソース配線と平行に設けられ、前記第２の高さを有する凸部は前記ゲート配線と平行に設けられることを特徴とする液晶表示装置。
【請求項１６】
請求項１乃至１５のいずれか一において、前記第１の領域と前記凸部が重なる幅が０．５μｍ以上であることを特徴とする液晶表示装置。
【請求項１７】
請求項１乃至１５のいずれか一において、前記第１の領域と前記凸部が重なる幅が１．０μｍ以上であることを特徴とする液晶表示装置。
【請求項１８】
請求項１乃至１７のいずれか一において、前記凸部の前記上端部において、互いに隣り合う前記第１の領域をそれぞれ有し、前記第１の領域の間の距離が４．０μｍ以下であることを特徴とする液晶表示装置。
【請求項１９】
請求項１乃至１７のいずれか一において、前記凸部の前記上端部において、互いに隣り合う前記第１の領域をそれぞれ有し、前記第１の領域の間の距離が２．０μｍ以下であることを特徴とする液晶表示装置。
【請求項２０】
第１の基板と、
前記第１の基板上に設けられた薄膜トランジスタと、
前記薄膜トランジスタ上に設けられた層間絶縁膜と、
前記薄膜トランジスタのソース又はドレインの一方と電気的に接続された画素電極と、
前記第１の基板における平坦面上に設けられた凸部を有し、
前記第１の基板と対向する第２の基板と、
前記第２の基板上に設けられた対抗電極と、を有する液晶表示装置であって、
前記凸部の側面及び前記平坦面上に前記画素電極が設けられることを特徴とする液晶表示装置。
【請求項２１】
請求項２０において、
前記薄膜トランジスタのソース又はドレインの他方と電気的に接続されたソース配線と、を有し、
前記凸部は前記ソース配線と平行に設けられることを特徴とする液晶表示装置。
【請求項２２】
請求項２０において、
前記薄膜トランジスタのゲートと電気的に接続されたゲート配線と、
前記薄膜トランジスタのソース又はドレインの他方と電気的に接続されたソース配線と、を有し、
前記凸部は前記ソース配線及び前記ゲート配線と平行に設けられることを特徴とする液晶表示装置。
【請求項２３】
請求項１乃至２２のいずれか一において、前記液晶表示装置がビデオカメラ、デジタルカメラ、プロジェクター、ヘッドマウントディスプレイ（ゴーグル型ディスプレイ）、カーナビゲーション、カーステレオ、パーソナルコンピュータ、携帯情報端末（モバイルコンピュータ、携帯電話または電子書籍）であることを特徴とする液晶表示装置。